(57)【要約】【課題】エンジンカバーで囲まれた狭い空間に搭載されたエンジンを効率よく冷却することが出来る作業車を提供すること。【解決手段】エンジン２０の側部に冷却装置７０を設けた、施肥装置付き乗用型田植機１であって、冷却装置７０周りの適宜位置に水を噴霧する水噴霧装置８０を設けたことを特徴とする乗用型田植機１とする。【選択図】図６
2019064372.tif 000002
【特許請求の範囲】
【請求項１】
エンジン（２０）の側部に冷却装置（７０）を設けた作業車において、
前記冷却装置（７０）周りの適宜位置に水を噴霧する水噴霧装置（８０）を設けたことを特徴とする作業車。
【請求項２】
前記冷却装置（７０）は、前記エンジン（２０）の循環水を空冷するラジエータ（７０ａ）と、冷却ファン（７０ｂ）を有しており、
前記水噴霧装置（８０）は、前記ラジエータ（７０ａ）と該ラジエータ（７０ａ）の側部に設けるフィルター（７１）との間に設けられた水の噴射ノズル（７２）を有していることを特徴とする請求項１に記載の作業車。
【請求項３】
前記ラジエータ（７０ａ）の下部に水受樋（７３）を設けると共に水受樋（７３）からの水を溜めるタンク（７４）を設け、該タンク（７４）から前記噴射ノズル（７２）に水を循環することを特徴とする請求項２に記載の作業車。
【請求項４】
前記噴射ノズル（７２）の水噴霧時に前記冷却ファン（７０ｂ）の駆動を停止或いは駆動速度を減速することを特徴とする請求項２又は請求項３に記載の作業車。
【請求項５】
前記エンジンの過熱検出手段を設け、該過熱検出手段が前記エンジン（２０）のオーバーヒート直前状態を検出すると前記水噴霧装置（８０）が作動することを特徴とする請求項１に記載の作業車。
【請求項６】
前記水噴霧装置（８０）の噴霧作動と同時に前記冷却ファン（７０ｂ）を駆動する強制冷却スイッチを設けたことを特徴とする請求項１に記載の作業車。
【発明の詳細な説明】
【技術分野】
【０００１】
本発明は、苗移植機等の作業車に関し、特にその作業車の動力源として使われるエンジンの冷却装置に関する。
【背景技術】
【０００２】
水田作業機や苗移植機等の作業車は、作業者が座る操縦席の下部にエンジンカバーで覆われてエンジンが搭載されている（例えば、特許文献１、２参照）。
【先行技術文献】
【特許文献】
【０００３】
【特許文献１】特許第５９１６５７９号公報
【特許文献２】特開２０１６−１１９８８３号公報
【発明の概要】
【発明が解決しようとする課題】
【０００４】
しかしながら、上記従来の作業車のエンジンカバーは泥土が侵入するのを防ぐために通風口が少なく、エンジンを冷却する外気の導入が少なくエンジンが過熱気味になるという課題がある。
【０００５】
本発明は、エンジンカバーで囲まれた狭い空間に搭載されたエンジンを効率よく冷却することが出来る作業車を提供することを目的とする。
【課題を解決するための手段】
【０００６】
上記従来の課題は、次の技術手段により解決される。
【０００７】
請求項１の発明は、エンジン２０の側部に冷却装置７０を設けた作業車において、冷却装置７０周りの適宜位置に水を噴霧する水噴霧装置８０を設けたことを特徴とする作業車とする。
【０００８】
請求項２の発明は、冷却装置７０は、エンジン２０の循環水を空冷するラジエータ７０ａと、冷却ファン７０ｂを有しており、水噴霧装置（８０）は、前記ラジエータ７０ａと該ラジエータ７０ａの側部に設けるフィルター７１との間に設けられた水の噴射ノズル７２を有していることを特徴とする請求項１に記載の作業車とする。
【０００９】
請求項３の発明は、ラジエータ７０ａの下部に水受樋７３を設けると共に水受樋７３からの水を溜めるタンク７４を設け、該タンク７４から噴射ノズル７２に水を循環することを特徴とする請求項２に記載の作業車とする。
【００１０】
請求項４の発明は、噴射ノズル７２の水噴霧時に冷却ファン７０ｂの駆動を停止或いは駆動速度を減速することを特徴とする請求項２又は請求項３に記載の作業車とする。
【００１１】
請求項５の発明は、エンジンの過熱検出手段を設け、該過熱検出手段がエンジン２０のオーバーヒート直前状態を検出すると水噴霧装置８０を作動することを特徴とする請求項１に記載の作業車とする。
【００１２】
請求項６の発明は、水噴霧装置８０の噴霧作動と同時に冷却ファン７０ｂを駆動する強制冷却スイッチを設けたことを特徴とする請求項１に記載の作業車とする。
【発明の効果】
【００１３】
請求項１の発明で、エンジン２０は冷却装置７０で適温に冷却されながら駆動されるが、過負荷や外気温の上昇により冷却されきらず、過熱状態になると、水噴霧装置８０から水が冷却装置７０の周りに噴霧されて水の気化吸熱作用で冷却装置７０が冷却され、エンジン２０が冷却されて過熱状態が解消されて、快適なエンジン駆動が回復する。
【００１４】
請求項２の発明で、冷却ファン７０ｂによる吸気風でラジエータ７０ａを通過する間にエンジン２０の循環水が冷却されエンジン２０が適温に保持されているが、水噴霧装置８０の噴射ノズル７２から水が噴射すると霧状水の気化作用でラジエータ７０ａが効果的に冷却されてエンジン２０の過熱を防止する。
【００１５】
請求項３の発明で、請求項２の効果に加えて、水噴霧装置８０の噴射ノズル７２から噴射した水がラジエータ７０ａに結露して水受樋７３に流れ落ちてタンク７４に溜まり、再び水噴霧装置８０で噴射ノズル７２から噴射されることで水の消費を少なくして、タンク７４への水補給頻度を少なく出来る。
【００１６】
請求項４の発明で、請求項２又は請求項３の効果に加えて、噴射ノズル７２から噴射される霧状水が冷却ファン７０ｂの吸引風でエンジン２０側に流れて消費されるのを防ぐ。
【００１７】
請求項５の発明で、請求項１の効果に加えて、水噴霧装置を８０の駆動頻度をエンジン２０のオーバーヒート直前状態のみに限定して無駄な動力を使わない。
【００１８】
請求項６の発明で、請求項１の効果に加えて、エンジン２０がオーバーヒート状態になると強制冷却スイッチをオンすることで迅速にオーバーヒートを解消できて作業を再開できる。
【図面の簡単な説明】
【００１９】
【図１】乗用型田植機の全体側面図である。
【図２】乗用型田植機の全体平面図である。
【図３】部分の拡大側面図である。
【図４】冷却装置の斜視図である。
【図５】冷却装置の側面図である。
【図６】冷却装置の水噴霧システムの説明図である。
【発明を実施するための形態】
【００２０】
以下、図面に基づき、本発明の好ましい実施の形態について説明する。
【００２１】
図１及び図２は本発明の作業車の一例としての、施肥装置を装着した施肥装置付き乗用型田植機を表している。この施肥装置付き乗用型田植機１は、走行車体２の後側に昇降リンク装置３を介して苗植付部４が昇降可能に装着され、走行車体２の後部上側に施肥装置５の本体部分が設けられている。
【００２２】
なお、本明細書では苗移植機の前進方向を向いて左右方向をそれぞれ左、右と言い、前進方向を前、後退方向を後と言うことにする。
【００２３】
走行車体２は、駆動輪である左右一対の前輪１０，１０及び左右一対の後輪１１，１１を備えた四輪駆動車両であって、機体の前部にミッションケース１２が配置され、そのミッションケース１２の左右側方に前輪ファイナルケース１３，１３が設けられ、該左右前輪ファイナルケース１３，１３の操向方向を変更可能な各々の前輪支持部から外向きに突出する左右前輪車軸に左右前輪１０，１０が各々取り付けられている。また、ミッションケース１２にはメインフレーム１５が固定支持されており、そのメインフレーム１５の後端左右中央部に前後水平に設けた後輪ローリング軸を支点にして後輪ギヤケース１８，１８がローリング自在に支持され、その後輪ギヤケース１８，１８から外向きに突出する後輪車軸に後輪１１，１１が取り付けられている。
【００２４】
エンジン２０はメインフレーム１５の上に搭載されており、該エンジン２０の回転動力が、第一ベルト伝動装置２１及びＨＳＴ２３を介してミッションケース１２に伝達される。ミッションケース１２に伝達された回転動力は、該ケース１２内のトランスミッションにより変速された後、走行動力と外部取出動力に分離して取り出される。そして、走行動力は、一部が前輪ファイナルケース１３，１３に伝達されて前輪１０，１０を駆動すると共に、残りが後輪ギヤケース１８，１８に伝達されて後輪１１，１１を駆動する。また、外部取出動力は、走行車体２の後部に設けた植付クラッチケース２５に伝達され、それから植付伝動軸２６によって苗植付部４へ伝動されるとともに、施肥伝動機構２７によって施肥装置５へ伝動される。
【００２５】
なお、第一ベルト伝動装置２１のクラッチプーリを電動でオン・オフ作動し、クラッチ切でエンジン２０を駆動する場合には、エンジン２０の起動後に電動モータ等でクラッチプーリをオンするようにすると、エンジン２０の起動負荷が低下してアイドリングストップが容易になる。
【００２６】
エンジン２０の上部はエンジンカバー３０で覆われており、その上に座席３１が設置されている。座席３１は前下部が枢支され後部が左右のクッション材で受けて前後に回動可能であるが、クッション材は後面視でハの字状に配置すると座席３１をエンジンカバー３０に載置した状態で安定する。
【００２７】
また、エンジンカバー３０の座席３１後部に巻き苗を載せて左右に転がせる平面部を設けると、苗の補給時に巻き苗を横移動して補給作業が容易になる。
【００２８】
座席３１の前方には各種操作機構を内蔵するフロントカバー３２があり、その上方に前輪１０，１０を操向操作するハンドル３４が設けられている。エンジンカバー３０及びフロントカバー３２の下端左右両側は水平状のフロアステップ３５になっている。フロアステップ３５は一部格子状になっており（図２参照）、該ステップ３５を歩く作業者の靴についた泥が圃場に落下するようになっている。フロアステップ３５上の後部は、後輪フェンダを兼ねるリヤステップ３６となっている。
【００２９】
図３は、エンジンカバー３０の冷却装置７０の側断面図で、冷却装置７０は、エンジン２０を循環する冷却水のラジエータ７０ａとこのラジエータ７０ａを通して外気を吸引して空冷する冷却ファン７０ｂとで構成し、ラジエータ７０ａの外側に立設した防塵用のフィルター７１とラジエータ７０ａ間の上部に水の噴射ノズル７２を設けている。
【００３０】
図４から図６は、冷却装置７０を水の噴射で冷却する冷却システムの説明図で、ラジエータ７０ａとフィルター７１の間で上部中央に設ける噴射ノズル７２から下方に向けて水を霧状に噴霧してラジエータ７０ａ全体を湿らせて冷却する。噴射ノズル７２はラジエータ７０ａの左右に中央に向けて噴霧するようにしても良い。
【００３１】
ラジエータ７０ａの下端下には、左右片側に向けて傾斜した水受樋７３を設け、その下端に水を溜めるタンク７４を設け、水受樋７３から流れてくる水を溜めるようにしている。このタンク７４内には水フィルター７５を介して水を吸い上げるポンプ７６を設け、このポンプ７６と前記噴射ノズル７２をパイプ７７で連結している。タンク７４の補給口７９にはリヤステップ３６上の水供給口(図示省略)に通じる水補給パイプ７８を連結している。
【００３２】
ポンプ７６は、ラジエータ７０ａの水温を検出する水温センサやエンジンの出力低下を検出する出力センサでエンジン２０のオーバーヒート状態検出し、オーバーヒートの直前に作動して噴射ノズル７２から水を短時間噴射する。その際に冷却ファン７０ｂの駆動を停止し、噴霧水がエンジン２０側に流れないようにしてラジエータ７０ａに付着した水滴が気化することでラジエータ７０ａを冷やしエンジン循環水が冷やされ、エンジン２０のオーバーヒートを防ぐようになる。エンジンの出力低下は変速レバーの所定変速位置で植付作業を行っている間にエンジン回転が所定回転数にならないなどで検出することも出来る。
【００３３】
なお、緊急冷却スイッチを設け、この緊急冷却スイッチをオンすると、パイプ７７の駆動と共に冷却ファン７０ｂを駆動して噴霧水がエンジン２０側に流れるようにすると、噴霧水の一部が直接エンジン２０に付着して急激に冷却することが出来る。
【００３４】
走行車体２の前部左右両側には、補給用の苗を載せておく予備苗載台３８，３８が機体よりも側方に張り出す位置と内側に収納した位置とに回動可能に設けられている。
【００３５】
昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム４５の先端部との間に昇降油圧シリンダ４６が設けられており、該シリンダを油圧で伸縮させることにより、上リンク４０が上下に回動し、苗植付部４がほぼ一定姿勢のまま昇降する。
【００３６】
苗植付部４は８条植の構成で、フレームを兼ねる伝動ケース５０、マット苗を載せて左右往復動し苗を一株分ずつ各条の苗取出口５１ａ，…に供給するとともに横一列分の苗を全て苗取出口５１ａ，…に供給すると苗送りベルト５１ｂ，…により苗を下方に移送する苗タンク５１、苗取出口５１ａ，…に供給された苗を苗植付具５４で圃場に植付ける苗植付装置５２等を備えている。苗植付部４の下部には中央にセンターフロート５５、その左右両側にサイドフロート５６，５６がそれぞれ設けられている。これらフロート５５，５６，５６を圃場の泥面に接地させた状態で機体を進行させると、フロート５５，５６，５６が泥面を整地しつつ滑走し、その整地跡に苗植付装置５２，…により苗が植え付けられる。各フロート５５，５６，５６は圃場表土面の凹凸に応じて前端側が上下動するように回動自在に取り付けられており、植付作業時にはセンターフロート５５の前部の上下動が上下動検出機構５７により検出される。苗植付部４の下部には、整地装置の一例として、回転して整地する整地ロータ５８が支持されている。
【００３７】
施肥装置５は、肥料ホッパ６０に貯留されている粒状の肥料を繰出部６１，…によって一定量ずつ繰り出し、その肥料を施肥ホース６２，…でフロート５５，５６，５６の左右両側に取り付けた施肥ガイド６３，…まで導き、施肥ガイド６３，…の前側に設けた作溝体６４，…によって苗植付条の側部近傍に形成される施肥構内に落とし込むようになっている。電動モータ６６で駆動のブロア６７で発生させたエアが、左右方向に長いエアチャンバ６８を経由して施肥ホース６２，…に吹き込まれ、施肥ホース６２，…内の肥料を風圧で強制的に搬送するようになっている。
【００３８】
さらに、走行車体２の前部の左右両側には、補給用の苗を載せておく一対の予備苗載置台３８、３８が気体の前後に張り出す位置と上下に並んだ位置とに回動可能に設けられている。
【符号の説明】
【００３９】
２０  エンジン
７０  冷却装置
７０ａ  ラジエータ
７０ｂ  冷却ファン
７１  フィルター
７２  噴射ノズル
７３  水受樋
７４  タンク
８０  水噴霧装置
【図１】
2019064372.tif 000003
【図２】
2019064372.tif 000004
【図３】
2019064372.tif 000005
【図４】
2019064372.tif 000006
【図５】
2019064372.tif 000007
【図６】
2019064372.tif 000008